(57)【要約】【課題】移動通信におけるハンドオーバー測定方法及びその装置を提供する。【解決手段】本発明に係る方法は、１つまたは複数の測定対象を含む第１対象集合を決定し、複数の単位測定時間帯（Ｔｕｎｉｔ）を輪番で第１対象集合における各測定対象に割り当て、前記第１対象集合から１つまたは複数の測定対象を除去して第２対象集合を得、除去済み測定対象の単位測定時間帯を再割り当てし、再割り当てして得られた単位測定時間帯と第２対象集合における測定対象との対応関係により、前記第２対象集合における各測定対象の信号強度を測定し、測定報告トリガーイベントの監視状況により測定報告を送信することを含む。本発明に係る方法及びその装置によれば、測定結果の正確性及び適時性を保証できる。【選択図】図１０
2010193456.tif 000002
【特許請求の範囲】
【請求項１】
移動通信におけるハンドオーバー測定方法であって、
１つまたは複数の測定対象を含む第１対象集合を決定し、複数の単位測定時間帯（Ｔｕｎｉｔ）を輪番で第１対象集合における各測定対象に割り当て、
前記第１対象集合から１つまたは複数の測定対象を除去して第２対象集合を得、除去済み測定対象の単位測定時間帯を再割り当てし、
再割り当てして得られた単位測定時間帯と第２対象集合における測定対象との対応関係により、前記第２対象集合における各測定対象の信号強度を測定し、測定報告トリガーイベントの監視状況により測定報告を送信する、
ことを含むことを特徴とする方法。
【請求項２】
前記第１対象集合から１つまたは複数の測定対象を除去することは、
対象除去トリガーイベントを設定し、
前記第１対象集合における測定対象の少なくとも１つの単位測定時間帯で、前記対象除去トリガーイベントが監視された後、前記測定対象の後続の複数の単位測定時間帯で、該測定対象の信号強度の測定を停止する、
ことを含むことを特徴とする請求項１に記載の方法。
【請求項３】
前記対象除去トリガーイベントは、Ｍｍ＋Ｏｆｍ＋Ｏｃｍ＋Ｈｙｓ＜Ｍｎ＋Ｏｆｎ＋Ｏｃｎ−Ｏｆｆであり、
ここで、Ｍは測定対象の測定結果であり、Ｏｆは測定対象の周波数オフセット量であり、Ｏｃは測定対象のセルオフセット量であり、Ｈｙｓはヒステリシス係数であり、Ｏｆｆはイベントオフセット量であり、
添え字ｎは、第１対象集合における最も良い信号強度を有する測定対象を表し、添え字ｍは、第１対象集合における１つの測定対象を表し、
前記第１対象集合における測定対象の少なくとも１つの単位測定時間帯で、前記対象除去トリガーイベントが監視されたことは、
前記単位測定時間帯で得られた該測定対象の信号強度と、第１対象集合における全ての測定対象の信号強度のうち最も良い信号強度とを比較し、該測定対象の信号強度が、最も良い信号強度より、１つのオフセット量小さい場合、対象除去トリガーイベントが監視されたと決定する、ことを含む、
ことを特徴とする請求項２に記載の方法。
【請求項４】
前記対象除去トリガーイベントは、Ｍｍ＋Ｏｆｍ＋Ｏｃｍ＋Ｈｙｓ＜Ｍｓ＋Ｏｆｓ＋Ｏｃｓ−Ｏｆｆであり、
ここで、Ｍは測定対象の測定結果であり、Ｏｆは測定対象の周波数オフセット量であり、Ｏｃは測定対象のセルオフセット量であり、Ｈｙｓはヒステリシス係数であり、Ｏｆｆはイベントオフセット量であり、
添え字ｓはサービング基地局を表し、添え字ｍは第１対象集合における１つの測定対象を表し、
前記第１対象集合における測定対象の少なくとも１つの単位測定時間帯で、前記対象除去トリガーイベントが監視されたことは、
前記単位測定時間帯で得られた該測定対象の信号強度と、サービング基地局の信号強度とを比較し、該測定対象の信号強度がサービング基地局の信号強度より１つのオフセット量小さい場合、対象除去トリガーイベントが監視されたと決定する、ことを含む、
ことを特徴とする請求項２に記載の方法。
【請求項５】
前記対象除去トリガーイベントは、Ｍｍ＋Ｈｙｓ＜Ｔｈｒｅｓｈｏｌｄであり、
ここで、Ｍは測定対象の測定結果であり、Ｈｙｓはヒステリシス係数であり、Ｔｈｒｅｓｈｏｌｄは閾値であり、添え字ｍは第１対象集合における１つの測定対象を表し、
前記第１対象集合における測定対象の少なくとも１つの単位測定時間帯で、前記対象除去トリガーイベントが監視されたことは、
前記単位測定時間帯で得られた該測定対象の信号強度と、予め設定された閾値とを比較し、該測定対象の信号強度が前記閾値より小さい場合、対象除去トリガーイベントが監視されたと決定する、ことを含む、
ことを特徴とする請求項２に記載の方法。
【請求項６】
対象除去観察時間を設定し、前記対象除去トリガーイベントが監視された後に、除去待ち測定対象に対して該対象除去観察時間を開始し、前記対象除去観察時間内における該除去待ち測定対象に割り当てられた全ての単位測定時間帯にわたって監視し、
前記全ての単位測定時間帯にわたって前記対象除去トリガーイベントが監視された場合、前記対象除去観察時間が終了した後に、前記除去待ち測定対象に対する測定を停止し、前記除去待ち測定対象を除去済み測定対象に変更する、
ことをさらに含むことを特徴とする請求項２〜５のいずれか１項に記載の方法。
【請求項７】
前記除去済み測定対象の単位測定時間帯を再割り当てすることは、
ユーザ端末は、前記単位測定時間帯が付けられる上りシグナリングをサービング基地局に送信し、サービング基地局に対し、ユーザ端末が前記単位測定時間帯でサービス周波数に停留していることを通知し、
サービング基地局は、前記上りシグナリングの指示により、前記単位測定時間帯で該ユーザ端末のデータを送受信する、
ことを含むことを特徴とする請求項１に記載の方法。
【請求項８】
前記除去済み測定対象の単位測定時間帯を再割り当てすることは、ユーザ端末を前記単位測定時間帯で休眠するように設定することを含むことを特徴とする請求項１に記載の方法。
【請求項９】
前記除去済み測定対象の単位測定時間帯を再割り当てすることは、
後続の全ての単位測定時間帯を輪番で第２対象集合における各測定対象に割り当てる、
ことを含むことを特徴とする請求項１に記載の方法。
【請求項１０】
前記除去済み測定対象の単位測定時間帯を再割り当てすることは、
第２対象集合から信号強度が最大となる測定対象を検索し、
前記除去済み測定対象の後続の複数の単位測定時間帯を、前記信号強度が最大となる測定対象に割り当てる、
ことを含むことを特徴とする請求項１に記載の方法。
【請求項１１】
前記測定報告トリガーイベントの監視状況により測定報告を送信することは、
第１測定対象に対して測定報告トリガーイベントが監視された後に、前記第１測定対象に対して、サービング基地局により設定された第１測定報告観察時間Ｔｔｒｉｇを開始し、前記Ｔｔｒｉｇ内における該第１測定対象に割り当てられた全ての単位測定時間帯にわたって監視し、
前記全ての単位測定時間帯にわたって前記測定報告トリガーイベントが監視された場合、前記Ｔｔｒｉｇ終了後に、前記第１測定対象に関して測定報告を送信する、
ことを含むことを特徴とする請求項９または請求項１０に記載の方法。
【請求項１２】
前記測定報告トリガーイベントの監視状況により測定報告を送信することは、
第２測定報告観察時間Ｔｔｒｉｇ’を、Ｔｔｒｉｇ’＝Ｔｔｒｉｇ＋（Ｎｓｋｉｐ／２）＊Ｔｕｎｉｔのように設定し、ここで、Ｔｔｒｉｇはサービング基地局により設定された第１測定報告観察時間であり、Ｎｓｋｉｐは除去された測定対象数であり、
第１測定対象に対して測定報告トリガーイベントが監視された後に、前記第１測定対象に対して前記Ｔｔｒｉｇ’を開始し、前記Ｔｔｒｉｇ’内における該第１測定対象に割り当てられた全ての単位測定時間帯にわたって監視し、
前記全ての単位測定時間帯にわたって前記測定報告トリガーイベントが監視された場合、前記Ｔｔｒｉｇ’終了後に、前記第１測定対象に関して測定報告を送信する、
ことを含むことを特徴とする請求項９または請求項１０に記載の方法。
【請求項１３】
前記測定報告トリガーイベントの監視状況により測定報告を送信することは、
第３測定報告観察時間Ｔｔｒｉｇ’’を、Ｔｔｒｉｇ’’＝Ｔ１−ｍｏｄ（Ｔ１，Ｎｋｅｅｐ＊Ｔｕｎｉｔ）のように設定し、ここで、Ｔ１は第１測定報告観察時間Ｔｔｒｉｇまたは第２測定報告観察時間Ｔｔｒｉｇ‘であり、Ｎｋｅｅｐは第２対象集合における測定対象数であり、
第１測定対象に対して測定報告トリガーイベントが監視された後に、前記第１測定対象に対して前記Ｔｔｒｉｇ’’を開始し、前記Ｔｔｒｉｇ’’内における該第１測定対象に割り当てられた全ての単位測定時間帯にわたって監視し、
前記全ての単位測定時間帯にわたって前記測定報告トリガーイベントが監視された場合、前記Ｔｔｒｉｇ’’終了後に、前記第１測定対象に関して測定報告を送信する、
ことを含むことを特徴とする請求項１２に記載の方法。
【請求項１４】
予め設定された回復条件が満たされたと決定する場合、除去済み測定対象の信号強度の測定を回復することをさらに含むことを特徴とする請求項１に記載の方法。
【請求項１５】
前記予め設定された回復条件が満たされたと決定することは、
前記第１対象集合から測定対象を除去した後に、除去時間の計時を開始し、除去時間が終了した後に、現時点が１つまたは複数の測定報告観察時間内であるかどうかを判断し、いかなる測定報告観察時間内でもない場合、予め設定された回復条件が満たされたと決定し、あるいは、
全ての測定報告観察時間が終了した後に、予め設定された回復条件が満たされたと決定し、あるいは、
第２対象集合における測定対象の信号強度が悪くなった場合、１つまたは複数の除去済み測定対象の中から最も良い信号強度を有する第２測定対象を選択して、該第２測定対象に対する回復条件が満たされたと決定する、
ことを含むことを特徴とする請求項１４に記載の方法。
【請求項１６】
前記１つまたは複数の測定対象を含む第１対象集合を決定することは、
サービング基地局から提供された測定設定を受信し、前記測定設定で指定された１つまたは複数の測定対象により、前記第１対象集合を決定する、
ことを含むことを特徴とする請求項１〜５、請求項７〜１０、請求項１３〜１５のいずれか１項に記載の方法。
【請求項１７】
前記１つまたは複数の測定対象を含む第１対象集合を決定することは、
ユーザ端末は、異なるキャリア周波数またはアクセス方式において探索し、探索されたキャリア周波数またはアクセス方式を測定対象として、第１対象集合に追加する、
ことを含むことを特徴とする請求項１〜５、請求項７〜１０、請求項１３〜１５のいずれか１項に記載の方法。
【請求項１８】
前記１つまたは複数の測定対象を含む第１対象集合を決定することは、
ユーザ端末は、サービング基地局から提供された測定設定を受信し、異なるキャリア周波数またはアクセス方式において探索し、
測定設定で指定された測定対象と、ユーザ端末で探索された測定対象とにより、前記第１対象集合を決定する、
ことを含むことを特徴とする請求項１〜５、請求項７〜１０、請求項１３〜１５のいずれか１項に記載の方法。
【請求項１９】
前記第１対象集合における測定対象と前記サービング基地局との使用するキャリア周波数が異なり、あるいは、前記第１対象集合における測定対象と前記サービング基地局との使用するアクセス方式が異なることを特徴とする請求項１〜５、請求項７〜１０、請求項１３〜１５のいずれか１項に記載の方法。
【請求項２０】
ユーザ端末であって、
１つまたは複数の測定対象を含む第１対象集合を記憶し、かつ、測定対象と単体測定時間帯（Ｔｕｎｉｔ）との対応関係を記憶するパラメータ記憶ユニットと、
前記パラメータ記憶ユニットに記憶された測定対象と単位測定時間帯との対応関係により、各測定対象の信号強度を測定し、測定結果を対象制御ユニットに送信し、測定報告トリガーイベントの監視状況により測定報告を送信する測定実行ユニットと、
測定対象と単位測定時間帯との対応関係を設定し、前記測定実行ユニットで得られた測定結果により、前記第１対象集合から１つまたは複数の測定対象を除去して第２対象集合を得、除去済み測定対象の単位測定時間帯を再割り当てし、再割り当て結果により測定対象と単位測定時間帯との対応関係を更新する対象制御ユニットと、
を含むことを特徴とするユーザ端末。
【請求項２１】
前記対象制御ユニットは、
対象除去トリガーイベントを設定する除去定義モジュールと、
前記第１対象集合における測定対象の少なくとも１つの単位測定時間帯で、前記対象除去トリガーイベントが監視された後に、前記測定対象の後続の複数の単位測定時間帯で、該測定対象の信号強度の測定を停止する対象除去モジュールと、
を含むことを特徴とする請求項２０に記載のユーザ端末。
【請求項２２】
前記対象除去モジュールは、対象除去観察時間を設定し、前記対象除去トリガーイベントが監視された後に、除去待ち測定対象に対して該対象除去観察時間を開始し、前記対象除去観察時間内における該除去待ち測定対象に割り当てられた全ての単位測定時間帯にわたって監視し、前記全ての単位測定時間帯にわたって前記対象除去トリガーイベントが監視された場合、前記対象除去観察時間が終了した後に、前記除去待ち測定対象に対する測定を停止し、前記除去待ち測定対象を除去済み測定対象に変更する、ことを特徴とする請求項２１に記載のユーザ端末。
【請求項２３】
前記対象制御ユニットは、
後続の全ての単位測定時間帯を輪番で第２対象集合における各測定対象に割り当てるＴｕｎｉｔ割り当てモジュールをさらに含む、
ことを特徴とする請求項２１に記載のユーザ端末。
【請求項２４】
前記対象制御ユニットは、
第２対象集合から信号強度が最大となる測定対象を検索し、前記除去済み測定対象の後続の複数の単位測定時間帯を、前記信号強度が最大となる測定対象に割り当てるＴｕｎｉｔ割り当てモジュールをさらに含む、
ことを特徴とする請求項２１に記載のユーザ端末。
【請求項２５】
前記対象制御ユニットは、
予め設定された回復条件が満たされたと決定する場合、除去済み測定対象の信号強度の測定を回復する対象回復モジュールをさらに含む、
ことを特徴とする請求項２０〜２４のいずれか１項に記載のユーザ端末。
【請求項２６】
前記パラメータ記憶ユニットは、サービング基地局から提供された測定設定を記憶し、前記測定設定は１つまたは複数の測定対象を含む第１対象集合を指定するためのものである、ことを特徴とする請求項２０〜２４のいずれか１項に記載のユーザ端末。
【請求項２７】
前記測定実行ユニットは、さらに、異なるキャリア周波数またはアクセス方式において探索し、探索されたキャリア周波数またはアクセス方式を測定対象として、前記パラメータ記憶ユニットに記憶された第１対象集合に追加する、ことを特徴とする請求項２０〜２４のいずれか１項に記載のユーザ端末。
【発明の詳細な説明】
【技術分野】
【０００１】
本発明は移動通信システムにおけるユーザハンドオーバーに関し、特に、移動通信におけるハンドオーバー測定方法及びその装置に関する。
【背景技術】
【０００２】
セルラー携帯電話は人々の通信に極大な便利をもたらし、第２世代グローバル移動通信システム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）はデジタル通信を採用して、移動通信の通話品質をさらに向上させる。第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は、移動通信分野の重要な組織として、第３世代移動通信技術（３Ｇ：Ｔｈｅ  Ｔｈｉｒｄ  Ｇｅｎｅｒａｔｉｏｎ）の標準化の進展を大幅に促進し、広帯域符号分割多元接続（ＷＣＤＭＡ：Ｗｉｄｅ  Ｃｏｄｅ  Ｄｉｖｉｓｉｏｎ  Ｍｕｌｔｉｐｌｅ  Ａｃｃｅｓｓ）、高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）、及び高速アップリンクパケットアクセス（ＨＳＵＰＡ：Ｈｉｇｈ  Ｓｐｅｅｄ  Ｕｐｌｉｎｋ  Ｐａｃｋｅｔ  Ａｃｃｅｓｓ）などを含む一連の通信システム規格を制定した。
【０００３】
広帯域アクセス技術の挑戦に対処し、かつ、増加しつつある新たなサービスの需要を満たすために、３ＧＰＰは、２００４年末から３Ｇ長期的な進化（ＬＴＥ：Ｌｏｎｇ  Ｔｅｒｍ  Ｅｖｏｌｕｔｉｏｎ）技術の標準化作業を開始したことで、スペクトル効率をさらに向上させ、セル端ユーザの性能を改善し、システム遅延を低下させ、高速移動ユーザに更なる高速のアクセスサービスを提供することなどを図る。未来のＬＴＥ−Ａ技術はさらにＬＴＥを基に、スペクトル帯域幅を数倍増加させ、データレートを倍的に向上させ、もっと多くの移動ユーザに、更なる高速であって性能がさらに優れたサービスを提供する。
【０００４】
上記の移動通信システムでは、接続状態（ＣＯＮＮＥＣＴＥＤ）におけるユーザの移動性に対する管理が特に重要である。接続状態におけるユーザの移動性に対する管理を実現するために、移動通信システムにおいて、ハンドオーバーが定義され、接続状態にあるユーザは一定の条件を満たす場合、他のセルにハンドオーバーすることが許可される。ハンドオーバーがなければ、ユーザがサービングセルを出ると、コールドロップ後に新たなセルに再アクセスする場合があるため、ユーザのサービス満足度に大きな影響を与えてしまう。
【０００５】
一般的に、ハンドオーバーは測定、ハンドオーバー判定、ハンドオーバー実行の３つの主要な処理を含む。図１は、従来の方法におけるハンドオーバーのフローチャートであり、下記のステップを含む。
【０００６】
ステップ１０１〜１０３で、ユーザは、サービング基地局から提供された測定設定を受信した後に、サービングセルと隣接セルとの基準信号受信電力（ＲＳＲＰ：Ｒｅｃｅｉｖｅｄ  Ｓｉｇｎａｌ  Ｒｅｃｅｉｖｅｄ  Ｐｏｗｅｒ）を測定し、一定の条件を満たす場合、測定報告をサービング基地局に送信する。
【０００７】
ステップ１０４〜１０５で、サービング基地局は、受信された測定報告により、ハンドオーバーするかどうかを決定し、ハンドオーバーすると決定した場合、測定報告における各隣接セルの信号強度により、１つのターゲット基地局を選択し、ユーザに対し該ターゲット基地局にハンドオーバーするよう通知する。
【０００８】
ステップ１０６〜１０７で、ユーザは、サービング基地局からのハンドオーバー命令を受信した後に、サービング基地局から離れて、ターゲット基地局との同期を行って、ターゲット基地局にアクセスする。
【０００９】
上記のハンドオーバーの過程から分かるように、ハンドオーバーにとって、測定報告の正確性が特に重要である。測定報告が正確でなければ、チャンネル条件があまりよくない１つのターゲット基地局がサービング基地局により選択されることになる。こうすれば、ユーザがターゲット基地局にハンドオーバーした後、ピンポン効果が発生し、ひいてはコールドロップの恐れもあり、ユーザのサービス品質に大きな影響を与えてしまう。
【００１０】
ターゲット基地局とサービング基地局とのキャリア周波数やアクセス技術上の異なりを考慮すると、ハンドオーバーは、同一周波数ハンドオーバー、周波数間ハンドオーバー、及びシステム間ハンドオーバーの３種類に分けられる。図２に示すオーバーレイネットワークにおいて、多種の無線アクセス方式が共存している。
【００１１】
ターゲット基地局とサービング基地局が同一無線アクセスシステムの同一キャリア周波数に属する場合、該ハンドオーバーは同一周波数ハンドオーバーである。例えば、ターゲット基地局とサービング基地局がいずれもＬＴＥ−Ａ ３．４Ｇ層（即ち、室内ホットスポットカバー）に位置する場合、同一周波数ハンドオーバーに属する。ターゲット基地局とサービング基地局は同一システムに属する一方、異なるキャリア周波数に属する場合、該ハンドオーバーは周波数間ハンドオーバーである。例えば、サービング基地局がＬＴＥ−Ａ ３．４Ｇ層に位置し、ターゲット基地局がＬＴＥ−Ａ ２．５Ｇ層に位置する場合、周波数間ハンドオーバーに属する。ターゲット基地局とサービング基地局が、異なる無線アクセスシステムに属する場合、該ハンドオーバーはシステム間ハンドオーバーである。例えば、サービング基地局がＬＴＥ−Ａ ８００Ｍ層に位置し、ターゲット基地局がＷＣＤＭＡ層に位置する場合、システム間ハンドオーバーに属する。
【００１２】
表１に示すように、異なるハンドオーバーには、異なるタイプの測定を採用する必要がある。
【００１３】
【表１】
2010193456.tif 000003
【００１４】
同一周波数ハンドオーバーの場合、ターゲット基地局とサービング基地局が同一キャリア周波数にあるので、ユーザはサービング基地局に接続すると共に、ターゲット基地局の信号強度を監視することができ、これにより、同一周波数の測定だけが必要であり、特定の測定時間（ｇａｐ）によって補助する必要がない。
【００１５】
周波数間ハンドオーバーやシステム間ハンドオーバーの場合、異周波数測定を採用する必要がある。ユーザは、ターゲット基地局の信号強度に対して測定を行う際、ターゲット基地局のキャリア周波数に同期して初めて、信号強度を監視することができる。このとき、ユーザはサービング基地局との通信を行うことができなくなる。ここから分かるように、異周波数測定には、特定の測定ｇａｐによって補助する必要がある。
【００１６】
従来の技術において、図１のステップ１０１〜１０３に示す測定は、具体的に下記のことを含む。
【００１７】
１、ユーザがサービング基地局との接続を確立した後に、サービング基地局はユーザに対して測定設定を行う。前記測定設定は、例えば、測定対象や、測定時間（ｇａｐ）、測定報告トリガーイベント、測定報告観察時間（Ｔｔｒｉｇ）などの測定パラメータを設定することを主に含む。
【００１８】
測定対象とは、ユーザの所在領域をカバーする他の周波数または他のシステム、例えば、周波数１（Ｆ１）や周波数２（Ｆ２）、あるいは、ＷＣＤＭＡやＧＳＭなどを指す。
【００１９】
測定ｇａｐについて、３ＧＰＰ技術規格では、２種類の形式が示されている。ここで、測定ｇａｐの長さはいずれも６ｍｓと設定されるが、測定ｇａｐの繰返し周期はそれぞれ４０ｍｓと８０ｍｓである。また、比較的正確な測定結果を得るために、１つの測定対象（例えばＦ２）に対して、単位測定時間帯（Ｔｕｎｉｔ）を経過して初めて、１つの測定値が得られる。該単位測定時間帯は、複数の連続する測定ｇａｐを含む。つまり、ユーザは、測定ｇａｐを割り当てる際、実際的には、測定ｇａｐをＴｕｎｉｔ単位で測定対象に割り当てる。例えば、あるＴｕｎｉｔ内の連続する複数の測定ｇａｐはいずれも同一測定対象に割り当てられ、次のＴｕｎｉｔ内の連続する複数の測定ｇａｐは他の測定対象に割り当てられる。一般的に、単位測定時間帯は４８０ｍｓであり、測定ｇａｐの繰返し周期が８０ｍｓである場合、該Ｔｕｎｉｔ内には、６ｍｓの測定ｇａｐが６つ含まれ、測定ｇａｐ以外の他の時間は、相変わらず基地局との通信に用いられる。
【００２０】
Ｔｔｒｉｇは観察期間である。観察期間全体にわたって、ある予め定義された測定報告トリガーイベントがずっと満たされた場合、観察期間が終了した後に、ユーザは測定報告を送信する。Ｔｔｒｉｇの値の範囲は０〜５ｓである。ここで、Ｔｔｒｉｇの値は２．４ｓ、即ち５つの４８０ｍｓとされることを仮定する。
【００２１】
２、ユーザは、測定設定を受信した後に、ある測定対象（例えばＦ２）の単位測定時間帯内で、該測定対象の信号強度をモニターし、該測定対象が例えばイベントＡ３（ＥｖｅｎｔＡ３）のようなあるイベントを満たすことを発見すると、計時を開始する。
【００２２】
３、Ｆ２がＥｖｅｎｔＡ３を満たす持続時間はＴｔｒｉｇを越える場合、ユーザは測定報告をサービング基地局に送信する。前記測定報告は、Ｆ２においてＥｖｅｎｔＡ３を満たすセルに関する情報（例えば、セル番号や、信号強度値など）が付けられる。
【００２３】
具体的に、ＥｖｅｎｔＡ３は、隣接セルのＲＳＲＰがサービングセルより１つのオフセット量大きいと定義され、不等式（１）に示す通りである。
【００２４】
Ｍｎ＋Ｏｆｎ＋Ｏｃｎ−Ｈｙｓ＞Ｍｓ＋Ｏｆｓ＋Ｏｃｓ＋Ｏｆｆ（１）
ここで、Ｍｎは隣接セルの測定結果であり、Ｏｆｎは隣接周波数の周波数オフセット量であり、Ｏｃｎは隣接セルのセルオフセット量であり、Ｈｙｓはヒステリシス係数であり、Ｍｓはサービングセルの測定結果であり、Ｏｆｓはサービス周波数の周波数オフセット量であり、Ｏｃｓはサービングセルのセルオフセット量であり、Ｏｆｆはイベントオフセット量である。不等式（１）において、Ｍｎ、Ｍｓ及びＯｆｆは３つの比較的主要なパラメータである。
【発明の概要】
【発明が解決しようとする課題】
【００２５】
規格において、異周波数または異システムの複数の測定対象に対して測定する必要がある場合、複数の測定対象に対して輪番で測定を行うため、測定周期はＮｏｂｊｅｃｔ×４８０ｍｓであり、Ｎｏｂｊｅｃｔは測定対象数であることを示している。複数の測定対象は輪番で測定が行われるため、各測定対象は、１回の測定が行われた後に、他の全ての測定対象の測定終了を待って初めて、次回の測定が行われることができる。こうして、下記のような場合がある。
【００２６】
［場合１］
図３に示すように、ある測定対象（例えばＦ２）は、時刻ｔ０において、実際的にＥｖｅｎｔＡ３を既に満たすことができたことを仮定する。しかし、従来の測定メカニズムに従って、時刻ｔ０及び次の単位測定時間帯はいずれも、他の測定対象に対して測定するためのものであり、時刻ｔ１に達して初めて、Ｆ２に対して測定するための単位測定時間帯が開始する。つまり、ユーザは、時刻ｔ１まで待って初めて、Ｆ２が既にＥｖｅｎｔＡ３を満たしたことを発見でき、かつ、時刻ｔ１でＦ２のためにＴｔｒｉｇ計時を開始する。以下、ｔ０からｔ１までの遅延をＴｔｒｉｇ遅延と呼ぶ。
【００２７】
Ｔｔｒｉｇ期間では、ユーザは、Ｆ２に割り当てられた単位測定時間帯において、Ｆ２がずっとＥｖｅｎｔＡ３を満たすことを測定した場合、Ｔｔｒｉｇ終了後に、Ｆ２においてＥｖｅｎｔＡ３を満たすセルに関する情報をサービング基地局に送信する。以下、ｔ０からｔ２までの遅延を測定報告（ＭＲ：Ｍｅａｓｕｒｅｍｅｎｔ  Ｒｅｐｏｒｔ）遅延と呼ぶ。ＭＲ遅延はＴｔｒｉｇ遅延とＴｔｒｉｇにより構成される。Ｔｔｒｉｇが固定値であれば、ＭＲ遅延は主にＴｔｒｉｇ遅延によって決められる。サービング基地局は、測定報告を受信した後に、ターゲット基地局を選択し、ハンドオーバー命令をユーザに送信する。
【００２８】
ここから分かるように、Ｔｔｒｉｇ遅延がなければ、ユーザは時刻（ｔ１＋△ｔ）で既にハンドオーバーを行った可能性があり、この時、サービング基地局のチャネル品質は、まだ非常に悪い程度になっていない。しかしながら、Ｔｔｒｉｇ遅延があるため、ユーザのハンドオーバーは時刻ｔ３まで遅延し、この時、サービング基地局のチャネル品質は、通信品質に大きな影響を与えてしまい、ひいてはコールドロップを生じるほど悪くなった恐れがあり、このような遅延による影響は、表２に示される。
【００２９】
【表２】
2010193456.tif 000004
【００３０】
［場合２］
Ｆ２がＥｖｅｎｔＡ３を満たすことが監視された後に、ユーザはＴｔｒｉｇ計時を開始する。Ｔｔｒｉｇ期間で得られたＦ２の測定結果がいずれもＥｖｅｎｔＡ３を満たす場合、ユーザは、Ｔｔｒｉｇ終了後に、Ｆ２に関する測定報告、即ちＭＲ（Ｆ２）を送信する。複数の測定対象があり、かつ、図４に示すように、Ｔｔｒｉｇ期間でも複数の測定対象は輪番で測定が行われるので、ユーザは、Ｔｔｒｉｇ期間において、測定するためのただ１つのＴｕｎｉｔをある測定対象（例えばＦ２）に割り当てて、該Ｔｕｎｉｔ内の測定結果を測定報告としてサービング基地局に送信するしかできない。Ｆ２とサービス周波数Ｆ０との変化状況が図５と図６に示す通りであれば、ただ瞬間のシャドウまたは高速なフェージングが受信信号品質に影響を与えるため、１回のサンプリングによると、チャネル品質の現実の状況は充分に反映できず、間違った測定報告がサービング基地局に提供される可能性は大きくなり、最終的に、サービング基地局は間違ったターゲット基地局を選択し、ユーザは間違ったターゲット基地局にアクセスし、ピンポンや瞬間的再ハンドオーバー、ひいてはコールドロップは発生してしまうことが明らかである。
【００３１】
［場合３］
図７に示すように、複数の周波数がほぼ同時にＴｔｒｉｇ計時をトリガーする場合もあり得る。時刻ｔ１で、Ｆ２がＥｖｅｎｔＡ３を満たすことが監視されたため、ユーザはＴｔｒｉｇ計時を開始する。このＴｔｒｉｇをＴｔｒｉｇ２と記する。図８に示すように、Ｔｔｒｉｇ２終了前に、また、Ｆ１がＥｖｅｎｔＡ３を満たすことが監視されたため、ユーザはＴｔｒｉｇ計時を開始する。このＴｔｒｉｇをＴｔｒｉｇ１と記する。Ｔｔｒｉｇ１とＴｔｒｉｇ２の時間長が同じである。ここから分かるように、ｔ２からｔ３までの時間帯には、計時中のＴｔｒｉｇが２つあり、ここで、Ｔｔｒｉｇ２はＦ２に対応し、Ｔｔｒｉｇ１はＦ１に対応する。Ｔｔｒｉｇ２とＴｔｒｉｇ１が終了した後、ユーザにより監視されたＦ２とＦ１がＴｔｒｉｇ期間にわたってＥｖｅｎｔＡ３を満たす場合、ユーザは別々にＦ２とＦ１に関する測定報告をサービング基地局に送信する。具体的な過程は、図９に示す通りである。
【００３２】
ステップ９０１で、Ｔｔｒｉｇ２終了後、ユーザは、Ｆ２に関するＭＲ、即ちＭＲ（Ｆ２）をサービング基地局に送信する。
【００３３】
ステップ９０２〜９０３で、サービング基地局は、ＭＲによりハンドオーバー判定を行って、ｃｅｌｌ２（Ｆ２）をターゲット基地局として選択し、ハンドオーバー要求をｃｅｌｌ２に送信する。
【００３４】
ステップ９０４で、Ｔｔｒｉｇ１終了後、ユーザは、Ｆ１に関するＭＲ、即ちＭＲ（Ｆ１）をサービング基地局に送信する。
【００３５】
ＭＲ（Ｆ１）とＭＲ（Ｆ２）がサービング基地局に到達する時間間隔は長すぎる場合、この時、サービング基地局は、ｃｅｌｌ２（Ｆ２）を含むハンドオーバー実行命令を既にユーザに送信したため、ＭＲ（Ｆ１）を無視する。しがしながら、さまざまな原因、例えば、ＲＳＲＰ強度や、セルの現時点の負荷、電話代、システム提供可能なデータレートなどに基づいて、ｃｅｌｌ１が優位にあるのであれば、該ユーザはｃｅｌｌ１（Ｆ１）をターゲット基地局として選択することにさらに傾くかもしれない。しかし、ユーザは、最も望ましいターゲット基地局、即ちｃｅｌｌ１（Ｆ１）にハンドオーバーできなかった。これにより、ユーザの満足度に影響を与えてしまう。
【００３６】
ＬＴＥ及びＬＴＥ−Ａにおいて、システムの帯域幅は、３Ｇの最大帯域幅１０Ｍから最大２０Ｍ、１００Ｍに増大する。２０Ｍの帯域幅が複数の離散の５Ｍの帯域幅により合成されたものである場合、あるいは、１００Ｍの帯域幅が複数の離散の２０Ｍの帯域幅により合成されたものである場合、若干のユーザは１つの時刻において、ただ１つの５Ｍの帯域幅または１つの２０Ｍの帯域幅でデータを送受信でき、２０Ｍの帯域幅全体または１００Ｍの帯域幅全体でデータを送受信することができない。こうして、異周波数（ｉｎｔｅｒ−Ｆ：Ｉｎｔｅｒ  Ｆｒｅｑｕｅｎｃｙ）の隣接セルは普通に存在する。同時に、未来の移動通信システムも多種の無線アクセス技術の共存している多重アクセスネットワークであるため、異種無線アクセス技術（ｉｎｔｅｒ−ＲＡＴ：Ｉｎｔｅｒ  Ｒａｄｉｏ  Ａｃｃｅｓｓ  Ｔｅｃｈｎｏｌｏｇｙ）を採用した隣接セルも普通に存在する。ｉｎｔｅｒ−Ｆやｉｎｔｅｒ−ＲＡＴシステム間の負荷均衡化を図り、及び、ユーザをずっと最も良いセルに接続させることを保証するために、ｉｎｔｅｒ−Ｆやｉｎｔｅｒ−ＲＡＴのハンドオーバーが非常に重要であり、これにより、ハンドオーバー品質を保証するための測定もさらに重要になる。相応に、異周波数測定において複数の測定対象に対して輪番で測定を行うことによる問題を、如何により適切に処理するかが特に重要そうに見える。
【００３７】
上記に鑑みてなされて、本発明は移動通信におけるハンドオーバー測定の方法及び装置を提供し、具体的な実現は下記の通りである。
【課題を解決するための手段】
【００３８】
移動通信におけるハンドオーバー測定方法であって、１つまたは複数の測定対象を含む第１対象集合を決定し、複数の単位測定時間帯（Ｔｕｎｉｔ）を輪番で第１対象集合における各測定対象に割り当て、前記第１対象集合から１つまたは複数の測定対象を除去して第２対象集合を得、除去済み測定対象の単位測定時間帯を再割り当てし、再割り当てして得られた単位測定時間帯と第２対象集合における測定対象との対応関係により、前記第２対象集合における各測定対象の信号強度を測定し、測定報告トリガーイベントの監視状況により測定報告を送信する、ことを含む。
【００３９】
前記第１対象集合から１つまたは複数の測定対象を除去することは、対象除去トリガーイベントを設定し、前記第１対象集合における測定対象の少なくとも１つの単位測定時間帯で、前記対象除去トリガーイベントが監視された後、前記測定対象の後続の複数の単位測定時間帯で、該測定対象の信号強度の測定を停止する、ことを含む。
【００４０】
前記対象除去トリガーイベントは、Ｍｍ＋Ｏｆｍ＋Ｏｃｍ＋Ｈｙｓ＜Ｍｎ＋Ｏｆｎ＋Ｏｃｎ−Ｏｆｆであり、ここで、Ｍは測定対象の測定結果であり、Ｏｆは測定対象の周波数オフセット量であり、Ｏｃは測定対象のセルオフセット量であり、Ｈｙｓはヒステリシス係数であり、Ｏｆｆはイベントオフセット量であり、添え字ｎは、第１対象集合における最も良い信号強度を有する測定対象を表し、添え字ｍは、第１対象集合における１つの測定対象を表し、前記第１対象集合における測定対象の少なくとも１つの単位測定時間帯で、前記対象除去トリガーイベントが監視されたことは、前記単位測定時間帯で得られた該測定対象の信号強度と、第１対象集合における全ての測定対象の信号強度のうち最も良い信号強度とを比較し、該測定対象の信号強度が、最も良い信号強度より、１つのオフセット量小さい場合、対象除去トリガーイベントが監視されたと決定する、ことを含む。
【００４１】
前記対象除去トリガーイベントは、Ｍｍ＋Ｏｆｍ＋Ｏｃｍ＋Ｈｙｓ＜Ｍｓ＋Ｏｆｓ＋Ｏｃｓ−Ｏｆｆであり、ここで、Ｍは測定対象の測定結果であり、Ｏｆは測定対象の周波数オフセット量であり、Ｏｃは測定対象のセルオフセット量であり、Ｈｙｓはヒステリシス係数であり、Ｏｆｆはイベントオフセット量であり、添え字ｓはサービング基地局を表し、添え字ｍは第１対象集合における１つの測定対象を表し、前記第１対象集合における測定対象の少なくとも１つの単位測定時間帯で、前記対象除去トリガーイベントが監視されたことは、前記単位測定時間帯で得られた該測定対象の信号強度と、サービング基地局の信号強度とを比較し、該測定対象の信号強度がサービング基地局の信号強度より１つのオフセット量小さい場合、対象除去トリガーイベントが監視されたと決定する、ことを含む。
【００４２】
前記対象除去トリガーイベントは、Ｍｍ＋Ｈｙｓ＜Ｔｈｒｅｓｈｏｌｄであり、ここで、Ｍは測定対象の測定結果であり、Ｈｙｓはヒステリシス係数であり、Ｔｈｒｅｓｈｏｌｄは閾値であり、添え字ｍは第１対象集合における１つの測定対象を表し、前記第１対象集合における測定対象の少なくとも１つの単位測定時間帯で、前記対象除去トリガーイベントが監視されたことは、前記単位測定時間帯で得られた該測定対象の信号強度と、予め設定された閾値とを比較し、該測定対象の信号強度が前記閾値より小さい場合、対象除去トリガーイベントが監視されたと決定する、ことを含む。
【００４３】
該方法は、対象除去観察時間を設定し、前記対象除去トリガーイベントが監視された後に、除去待ち測定対象に対して該対象除去観察時間を開始し、前記対象除去観察時間内における該除去待ち測定対象に割り当てられた全ての単位測定時間帯にわたって監視し、前記全ての単位測定時間帯にわたって前記対象除去トリガーイベントが監視された場合、前記対象除去観察時間が終了した後に、前記除去待ち測定対象に対する測定を停止し、前記除去待ち測定対象を除去済み測定対象に変更する、ことをさらに含む。
【００４４】
前記除去済み測定対象の単位測定時間帯を再割り当てすることは、ユーザ端末は、前記単位測定時間帯が付けられる上りシグナリングをサービング基地局に送信し、サービング基地局に対し、ユーザ端末が前記単位測定時間帯でサービス周波数に停留していることを通知し、サービング基地局は、前記上りシグナリングの指示により、前記単位測定時間帯で該ユーザ端末のデータを送受信する、ことを含む。
【００４５】
前記除去済み測定対象の単位測定時間帯を再割り当てすることは、ユーザ端末を前記単位測定時間帯で休眠するように設定することを含む。
【００４６】
前記除去済み測定対象の単位測定時間帯を再割り当てすることは、後続の全ての単位測定時間帯を輪番で第２対象集合における各測定対象に割り当てる、ことを含む。
【００４７】
前記除去済み測定対象の単位測定時間帯を再割り当てすることは、第２対象集合から信号強度が最大となる測定対象を検索し、前記除去済み測定対象の後続の複数の単位測定時間帯を、前記信号強度が最大となる測定対象に割り当てる、ことを含む。
【００４８】
前記測定報告トリガーイベントの監視状況により測定報告を送信することは、第１測定対象に対して測定報告トリガーイベントが監視された後に、前記第１測定対象に対して、サービング基地局により設定された第１測定報告観察時間Ｔｔｒｉｇを開始し、前記Ｔｔｒｉｇ内における該第１測定対象に割り当てられた全ての単位測定時間帯にわたって監視し、前記全ての単位測定時間帯にわたって前記測定報告トリガーイベントが監視された場合、前記Ｔｔｒｉｇ終了後に、前記第１測定対象に関して測定報告を送信する、ことを含む。
【００４９】
前記測定報告トリガーイベントの監視状況により測定報告を送信することは、第２測定報告観察時間Ｔｔｒｉｇ’を、Ｔｔｒｉｇ’＝Ｔｔｒｉｇ＋（Ｎｓｋｉｐ／２）＊Ｔｕｎｉｔのように設定し、ここで、Ｔｔｒｉｇはサービング基地局により設定された第１測定報告観察時間であり、Ｎｓｋｉｐは除去された測定対象数であり、第１測定対象に対して測定報告トリガーイベントが監視された後に、前記第１測定対象に対して前記Ｔｔｒｉｇ’を開始し、前記Ｔｔｒｉｇ’内における該第１測定対象に割り当てられた全ての単位測定時間帯にわたって監視し、前記全ての単位測定時間帯にわたって前記測定報告トリガーイベントが監視された場合、前記Ｔｔｒｉｇ’終了後に、前記第１測定対象に関して測定報告を送信する、ことを含む。
【００５０】
前記測定報告トリガーイベントの監視状況により測定報告を送信することは、第３測定報告観察時間Ｔｔｒｉｇ’’を、Ｔｔｒｉｇ’’＝Ｔ１−ｍｏｄ（Ｔ１，ｍｏｄ（Ｔ１，Ｎｋｅｅｐ＊Ｔｕｎｉｔ）のように設定し、ここで、Ｔ１は第１測定報告観察時間Ｔｔｒｉｇまたは第２測定報告観察時間Ｔｔｒｉｇ’であり、Ｎｋｅｅｐは第２対象集合における測定対象数であり、第１測定対象に対して測定報告トリガーイベントが監視された後に、前記第１測定対象に対して前記Ｔｔｒｉｇ’’を開始し、前記Ｔｔｒｉｇ’’内における該第１測定対象に割り当てられた全ての単位測定時間帯にわたって監視し、前記全ての単位測定時間帯にわたって前記測定報告トリガーイベントが監視された場合、前記Ｔｔｒｉｇ’’内終了後に、前記第１測定対象に関して測定報告を送信する、ことを含む。
【００５１】
該方法は、予め設定された回復条件が満たされたと決定する場合、除去済み測定対象の信号強度の測定を回復することをさらに含む。
【００５２】
前記予め設定された回復条件が満たされたと決定することは、前記第１対象集合から測定対象を除去した後に、除去時間の計時を開始し、除去時間が終了した後に、現時点が１つまたは複数の測定報告観察時間内であるかどうかを判断し、いかなる測定報告観察時間内でもない場合、予め設定された回復条件が満たされたと決定し、あるいは、全ての測定報告観察時間が終了した後に、予め設定された回復条件が満たされたと決定し、あるいは、第２対象集合における測定対象の信号強度が悪くなった場合、１つまたは複数の除去済み測定対象の中から最も良い信号強度を有する第２測定対象を選択して、該第２測定対象に対する回復条件が満たされたと決定する、ことを含む。
【００５３】
前記１つまたは複数の測定対象を含む第１対象集合を決定することは、サービング基地局から提供された測定設定を受信し、前記測定設定で指定された１つまたは複数の測定対象により、前記第１対象集合を決定する、ことを含む。
【００５４】
前記１つまたは複数の測定対象を含む第１対象集合を決定することは、ユーザ端末は、異なるキャリア周波数またはアクセス方式において探索し、探索されたキャリア周波数またはアクセス方式を測定対象として、第１対象集合に追加する、ことを含む。
【００５５】
前記１つまたは複数の測定対象を含む第１対象集合を決定することは、ユーザ端末は、サービング基地局から提供された測定設定を受信し、異なるキャリア周波数またはアクセス方式において探索し、測定設定で指定された測定対象と、ユーザ端末で探索された測定対象とにより、前記第１対象集合を決定する、ことを含む。
【００５６】
前記第１対象集合における測定対象と前記サービング基地局との使用するキャリア周波数が異なり、あるいは、前記第１対象集合における測定対象と前記サービング基地局との使用するアクセス方式が異なる。
【００５７】
ユーザ端末であって、１つまたは複数の測定対象を含む第１対象集合を記憶し、かつ、測定対象と単体測定時間帯（Ｔｕｎｉｔ）との対応関係を記憶するパラメータ記憶ユニットと、前記パラメータ記憶ユニットに記憶された測定対象と単位測定時間帯との対応関係により、各測定対象の信号強度を測定し、測定結果を対象制御ユニットに送信し、測定報告トリガーイベントの監視状況により測定報告を送信する測定実行ユニットと、測定対象と単位測定時間帯との対応関係を設定し、前記測定実行ユニットで得られた測定結果により、前記第１対象集合から１つまたは複数の測定対象を除去して第２対象集合を得、除去済み測定対象の単位測定時間帯を再割り当てし、再割り当て結果により測定対象と単位測定時間帯との対応関係を更新する対象制御ユニットと、を含む。
【００５８】
前記対象制御ユニットは、対象除去トリガーイベントを設定する除去定義モジュールと、前記第１対象集合における測定対象の少なくとも１つの単位測定時間帯で、前記対象除去トリガーイベントが監視された後に、前記測定対象の後続の複数の単位測定時間帯で、該測定対象の信号強度の測定を停止する対象除去モジュールと、を含む。
【００５９】
前記対象除去モジュールは、対象除去観察時間を設定し、前記対象除去トリガーイベントが監視された後に、除去待ち測定対象に対して該対象除去観察時間を開始し、前記対象除去観察時間内における該除去待ち測定対象に割り当てられた全ての単位測定時間帯にわたって監視し、前記全ての単位測定時間帯にわたって前記対象除去トリガーイベントが監視された場合、前記対象除去観察時間が終了した後に、前記除去待ち測定対象に対する測定を停止し、前記除去待ち測定対象を除去済み測定対象に変更する。
【００６０】
前記対象制御ユニットは、後続の全ての単位測定時間帯を輪番で第２対象集合における各測定対象に割り当てるＴｕｎｉｔ割り当てモジュールをさらに含む。
【００６１】
前記対象制御ユニットは、第２対象集合から信号強度が最大となる測定対象を検索し、前記除去済み測定対象の後続の複数の単位測定時間帯を、前記信号強度が最大となる測定対象に割り当てるＴｕｎｉｔ割り当てモジュールをさらに含む。
【００６２】
前記対象制御ユニットは、予め設定された回復条件が満たされたと決定する場合、除去済み測定対象の信号強度の測定を回復する対象回復モジュールをさらに含む。
【００６３】
前記パラメータ記憶ユニットは、サービング基地局から提供された測定設定を記憶し、前記測定設定は１つまたは複数の測定対象を含む第１対象集合を指定するためのものである。
【００６４】
前記測定実行ユニットは、さらに、異なるキャリア周波数またはアクセス方式において探索し、探索されたキャリア周波数またはアクセス方式を測定対象として、前記パラメータ記憶ユニットに記憶された第１対象集合に追加する。
【発明の効果】
【００６５】
上記の解決手段からわかるように、本発明に係るハンドオーバー測定方法及びその装置は、複数の測定対象に対して測定する必要があれば、異周波数や異システムなどの場合に対して、対象除去トリガーイベントを設定することにより、信号強度の比較的悪い測定対象を一時除去し、かつ、除去済み対象の単位測定時間帯を信号強度の比較的良い測定対象に割り当てることにより、信号強度の比較的良い測定対象に対する監視頻度及び測定頻度を増大させる。
【００６６】
さらに、本発明の実施例では、Ｔｔｒｉｇを適応的に更新し、即ち、Ｔｔｒｉｇの長さは、総測定対象数及び無視された測定対象数に応じて適応的に変更できる。また、Ｔｔｒｉｇの残り時間内に、該Ｔｔｒｉｇをトリガーした測定対象が再測定されない場合、測定報告の送信を繰り上げることで、測定報告遅延を減少させる。こうして、測定結果の正確性及び適時性を極めて大幅に保証でき、ハンドオーバーの信頼性及びセル端ユーザの通話品質を向上させる。
【図面の簡単な説明】
【００６７】
【図１】従来の方法におけるハンドオーバーのフローチャートである。
【図２】多種の無線アクセス方式の共存している多層カバーネットワークの構成を示す図である。
【図３】ターゲットセル（Ｆ２）とサービングセル（Ｆ０）とのチャネル品質の変化により、測定報告を送信し、ハンドオーバーを行うことを示す図である。
【図４】従来の方法における複数の測定対象に対して輪番で測定を行うことを示す図である。
【図５】シャドウの影響下での測定対象Ｆ２とサービス周波数Ｆ０とのチャネル品質の変化の比較を示す図である。
【図６】高速なフェージングの影響下での測定対象Ｆ２とサービス周波数Ｆ０とのチャネル品質の変化の比較を示す図である。
【図７】複数の測定対象がほぼ同時にＴｔｒｉｇ計時をトリガーすることを示す図である。
【図８】従来の方法において複数の測定対象がほぼ同時にサービング基地局に測定報告を送信することを示す図である。
【図９】複数の測定報告の送信のフローチャートである。
【図１０】本発明に係る周波数間／システム間のハンドオーバー測定方法のフローチャートである。
【図１１】本発明の１つの実施例においてユーザが信号強度の比較的悪い測定対象を除去する方法のフローチャートである。
【図１２】本発明の１つの実施例においてユーザがＴｔｒｉｇを更新する方法のフローチャートである。
【図１３】本発明の１つの実施例におけるＴｔｒｉｇ更新を示す図である。
【図１４】本発明の１つの実施例において、比較的悪い測定対象を除去した後、従来のＴｔｒｉｇ計時がトリガーされた測定のシーケンス図である。
【図１５】本発明に係るハンドオーバー測定を行うための装置の構成図である。
【図１６】本発明の１つの実施例において対象除去トリガーイベントを設定するための装置の構成図である。
【図１７】本発明の１つの実施例において、信号強度の比較的悪い測定対象を除去し、及び、該測定対象を回復するための装置の構成図である。
【図１８】本発明の１つの実施例においてＴｔｒｉｇを更新するための装置の構成図である。
【図１９】本発明の１つの具体的な実例において更新後のＴｔｒｉｇを採用した場合のハンドオーバー安定度と従来の方法のハンドオーバー安定度との比較を示す図である。
【図２０】本発明の１つの具体的な実例において、測定対象を除去してから、従来のＴｔｒｉｇを採用した場合の測定報告遅延と従来の方法の測定報告遅延との比較を示す図である。
【図２１】本発明の１つの具体的な実例における２つの異なる測定対象の測定報告の送信時間間隔と従来の方法における送信時間間隔との比較を示す図である。
【発明を実施するための形態】
【００６８】
本発明の目的、解決手段及びメリットをさらに明確にするために、以下、図面を参照して実施例を挙げながら、本発明をさらに詳しく説明する。
【００６９】
本発明の実施例では、ユーザ端末において周波数間／システム間のハンドオーバー測定を行う方法を提供している。該方法において、ユーザ端末は、１つまたは複数の測定対象を含む第１対象集合を決定し、複数の単位測定時間帯Ｔｕｎｉｔを輪番で第１対象集合における各測定対象に割り当てる、ことを含む。
【００７０】
ここで、ユーザ端末が第１対象集合を決定する具体的な方式は、サービング基地局から提供された測定設定を受信し、該測定設定から、指定された第１対象集合を得ることであってもよいし、ユーザ端末が、異なるキャリア周波数またはアクセス方式において探索し、探索されたキャリア周波数またはアクセス方式を測定対象として、最終的に第１対象集合を形成することであってもよい。
【００７１】
次に、ユーザ端末は、第１対象集合における測定対象の信号強度に対する測定状況により、１つまたは複数の測定対象を除去して第２対象集合を得、除去済み測定対象の単位測定時間帯を再割り当てする。
【００７２】
つまり、除去済み測定対象が単位測定時間帯を使用しなくなったため、アイドルになったこれら単位測定時間帯は、第２対象集合における１つまたは複数の測定対象に再割り当てされることができる。例えば、アイドルになったこれら単位測定時間帯を、第２対象集合における全ての測定対象に均一に割り当てて使用する場合、以前に設定された対応関係全体を再調整する必要がある。アイドルになったこれら単位測定時間帯を、第２対象集合における最大信号強度を有する測定対象のみに割り当てる場合、以前に他の測定対象に割り当てられた単位測定時間帯は、再調整する必要がない。
【００７３】
最後に、前記第２対象集合における各測定対象の信号強度を測定し、測定報告トリガーイベントの監視状況により測定報告を送信する。ここで、除去される測定対象は普通、信号品質の比較的悪い測定対象である。
【００７４】
ここで、測定設定は、１つまたは複数の測定対象を含む第１対象集合を指定するためのものである。また、測定設定において、測定時間が設定される。つまり、サービング基地局によって、１つまたは複数の測定時間が予め分割され、ユーザはこれら測定時間を単位測定時間帯（Ｔｕｎｉｔ）ごとに、輪番で第１対象集合における各測定対象に割り当て、つまり、ユーザによってＴｕｎｉｔと測定対象との対応関係が設定される。
【００７５】
図１０は、本発明に係るハンドオーバー測定方法のフローチャートである。該方法は下記のステップを含む。
【００７６】
ステップ１００１で、サービング基地局から提供された測定設定を受信し、測定設定で指定された測定対象を得る。本発明の実施例において、これら測定対象の集合を第１対象集合と呼ぶ。
【００７７】
ステップ１００２で、ユーザは測定の過程において、一定の規則に従って、上記第１対象集合から信号品質の比較的悪い１つまたは複数の測定対象を除去して第２対象集合を得る。
【００７８】
ステップ１００２において、信号品質の比較的悪い１つまたは複数の測定対象を除去する処理は、対象除去トリガーイベント（ＥｖｅｎｔＣ）によってトリガーされるものである。つまり、ある測定対象に割り当てられた単位測定時間帯内に、該測定対象の信号強度がＥｖｅｎｔＣを満たすことが検知された場合、直接的に該測定対象を除去してもよい。一般的に、比較的悪い信号強度を有する測定対象を除去する。
【００７９】
具体的に応用する際、対象除去トリガーイベント（ＥｖｅｎｔＣ）は多種の実現方式があってもよく、以下、３つの例をあげて説明する。ここで説明すべきところとして、ＴＳ  ３６．３３１において、既に測定報告トリガーイベントＡ１〜Ａ５、Ｂ１〜Ｂ２が定義されたので、対象除去トリガーイベント（ＥｖｅｎｔＣ）の３種類の具体的な実現をＥｖｅｎｔＣ１〜Ｃ３と命名する。下記の定義において、測定対象Ｆ３は信号強度の比較的悪いもの（以下、比較的悪い測定対象とも呼ばれる）であり、測定対象Ｆ２は信号強度の最も良いもの（以下、最も良い測定対象とも呼ばれる）であることを仮定する。
【００８０】
ＥｖｅｎｔＣ１は、不等式（２）に示すように、比較的悪い測定対象Ｆ３の信号強度が、最も良い測定対象Ｆ２より、１つのオフセット量小さいことである。
【００８１】
Ｍ３＋Ｏｆ３＋Ｏｃ３＋Ｈｙｓ＜Ｍ２＋Ｏｆ２＋Ｏｃ２−Ｏｆｆ（２）
ＥｖｅｎｔＣ１を設定するのは、Ｆ２に比べると、Ｆ３の信号強度が比較的悪いことを考えているからである。そのため、Ｆ３は、信号強度がサービス周波数Ｆ０より１つのオフセット量大きいので、ターゲット基地局として選択されることができるとしても、ユーザがＦ３にハンドオーバーした後に、Ｆ２の信号強度がＦ３より１つのオフセット量大きいので、該ユーザはすぐＦ３からＦ２にハンドオーバーすることになる。このような頻繁的なハンドオーバーは、ユーザの通話品質に影響を与えてしまう。従って、Ｆ３を第１対象集合から除去することにより、測定効率を向上させることができる。また、ＴｔｒｉｇＣとオフセット量Ｏｆｆを設定することにより、Ｆ３の信号強度が除去時間（Ｔｓｋｉｐ）内でＦ２の信号強度より大きい可能性が非常に低いことを保証でき、測定の正確性も保証される。
【００８２】
さらに一般的に、不等式（２）は下記のように表されることができる。
【００８３】
Ｍｍ＋Ｏｆｍ＋Ｏｃｍ＋Ｈｙｓ＜Ｍｎ＋Ｏｆｎ＋Ｏｃｎ−Ｏｆｆ
ここで、添え字ｍは第１対象集合内のある測定対象を表し、ｎは第１対象集合における最も良い信号強度を有する測定対象を表す。
【００８４】
（２）ＥｖｅｎｔＣ２は、不等式（３）に示すように、比較的悪い測定対象の信号強度がサービス周波数より１つのオフセット量小さいことである。
【００８５】
Ｍ３＋Ｏｆ３＋Ｏｃ３＋Ｈｙｓ＜Ｍｓ＋Ｏｆｓ＋Ｏｃｓ−Ｏｆｆ（３）
（３）ＥｖｅｎｔＣ３は、不等式（４）に示すように、比較的悪い測定対象の信号強度が絶対閾値より小さいことである。
【００８６】
Ｍ３＋Ｈｙｓ＜Ｔｈｒｅｓｈｏｌｄ（４）
ＥｖｅｎｔＣ２とＥｖｅｎｔＣ３について、ＴｔｒｉｇＣとオフセット量Ｏｆｆを設定することにより、Ｆ３の信号強度が除去時間（Ｔｓｋｉｐ）内で、ターゲット基地局になることを満たす程度まで増大する可能性は非常に低くなるため、Ｔｓｋｉｐ内でＦ３に対して測定せずに無視することは合理的である。
【００８７】
また、対象除去トリガーイベントに対して、観察期間を設定してもよい。この観察期間は、即ち、対象除去観察時間（ＴｔｒｉｇＣ）であり、その役割がＴｔｒｉｇに類似する。但し、Ｔｔｒｉｇは、測定報告トリガーイベントに対して設定された観察期間である。ある測定対象に割り当てられた単位測定時間帯内に、該測定対象の信号強度がＥｖｅｎｔＣを満たすことが検知された場合、該単位測定時間帯を対象除去観察時間（ＴｔｒｉｇＣ）の起点として、ＴｔｒｉｇＣ内の該測定対象に属する単位測定時間帯で引き続き検知する。ＴｔｒｉｇＣ内の該測定対象に割り当てられた全ての単位測定時間帯にわたって該測定対象の信号強度がＥｖｅｎｔＣを満たす場合、ＴｔｒｉｇＣ終了後に、該測定対象を除去する。具体的に、ＴｔｒｉｇＣは、ＥｖｅｎｔＣ１〜Ｃ３の３つのイベントに対して設定されてもよい。つまり、この３つのイベントのいずれかがＴｔｒｉｇＣ期間にわたって満たされて初めて、対象除去処理を行って、該比較的悪い測定対象を無視することができる。
【００８８】
また、最小測定対象数（Ｎｍｉｎ）により、比較的悪い測定対象をいくつ除去できるかを決定するようにしてよい。ここで、Ｎｍｉｎは、少なくとも残すことを必要とする測定対象数を指定するためのものである。例えば、少なくとも２つの測定対象を残す。
【００８９】
ステップ１００３で、除去済み測定対象の単位測定時間帯を再割り当てする。
【００９０】
対象除去トリガーイベントが満たされ、かつ、ＴｔｒｉｇＣ計時が経過することで、比較的悪い測定対象が除去された後、除去済み測定対象の単位測定時間帯を如何に利用するかを、場合によって考えてもよい。本発明の具体的な実例において、以下の３種類の方式を提供している。
【００９１】
１、除去済み測定対象のＴｕｎｉｔをサービス周波数Ｆ０に割り当てて、基地局との上り／下り通信に用いることにより、ユーザの通信品質を向上させる。具体的に、ユーザは、サービング基地局に上りシグナリングを送信することにより、サービング基地局に対し、ユーザがこれらＴｕｎｉｔでサービス周波数に停留していることを通知し、該ユーザに関するデータを引き続き送受信するよう要求する。この方式は、ユーザのスループットを向上させることができる。
【００９２】
２、ユーザは、除去済み測定対象の単位測定時間帯（複数の測定ｇａｐを含む）で休眠する。この方式は、節電することができ、いかなる余計な処理も必要なく、移動端末の電力消耗を節約できる。
【００９３】
３、ユーザは、全ての単位測定時間帯と第２対象集合における測定対象との対応関係を再設定する。この方式は、余計なシグナリング負荷が要らない。
【００９４】
方式３の対応関係の設定について、下記の２種類の具体的な実現がある。
【００９５】
（１）第２対象集合に含まれた測定対象数に従ってＴｕｎｉｔを再割り当てし、再割り当てされたＴｕｎｉｔを使用して、第２対象集合における測定対象に対して測定を行う。
【００９６】
サービング基地局で指定された測定対象はＦ１〜Ｆ４であり、単位測定時間帯の番号はＴｕｎｉｔ１、Ｔｕｎｉｔ２、Ｔｕｎｉｔ３、Ｔｕｎｉｔ４、Ｔｕｎｉｔ５、Ｔｕｎｉｔ６、…であり、全てのＴｕｎｉｔが第１対象集合において輪番で割り当てられ、即ち、以前にＦ１に割り当てられた単位測定時間帯はＴｕｎｉｔ１、Ｔｕｎｉｔ５、Ｔｕｎｉｔ９…であることを仮定する。Ｆ２を除去した後、全てのＴｕｎｉｔが第２対象集合において再び輪番で割り当てられるため、Ｆ１に割り当てられた単位測定時間帯はＴｕｎｉｔ１、Ｔｕｎｉｔ４、Ｔｕｎｉｔ７…である。ここで、各Ｔｕｎｉｔはいずれも複数の測定ｇａｐの集合である。
【００９７】
（２）除去済み測定対象の単位測定時間帯を、第２対象集合における信号強度の比較的良い測定対象に割り当てて、信号強度の比較的良い測定対象に対する測定を強化する。
【００９８】
上記の（２）について、いかなるＴｔｒｉｇも開始していない場合、再割り当てによれば、信号強度の比較的良い測定対象の監視頻度を増大させて、Ｔｔｒｉｇを適時に開始することができ、これにより、測定報告を適時に送信する。開始しているＴｔｒｉｇがある場合、単位測定時間帯を信号強度の比較的良い測定対象に割り当てることにより、Ｔｔｒｉｇ期間で信号強度の比較的良い測定対象に対する測定回数を増加させて、測定結果の正確性を保証することができる。
【００９９】
ステップ１００４で、第２対象集合における全ての測定対象に対して測定を行って、測定結果を得、測定報告トリガーイベントの監視状況により測定報告を送信する。
【０１００】
ステップ１００５で、除去済み測定対象に対して、予め設定された回復条件により、その信号強度の測定を回復してもよい。これにより、測定をネットワークの実際の信号状況にさらに合致させ、例えば、ある除去済み測定対象の信号強度が良くなったが、無視されたせいでＴｔｒｉｇ遅延が生じるといったことを避ける。
【０１０１】
具体的に実現する際、以下の３種類の方式を採用して、除去済み測定対象の回復条件を設定するようにしてよい。
【０１０２】
１、全てのＴｔｒｉｇも終了した後に、除去済み測定対象に対する測定を回復する。
【０１０３】
２、残された信号強度の比較的良い測定対象のうちいずれかの信号強度が突然に悪くなった場合、複数の除去済み測定対象の中から、信号強度の比較的良い１つの測定対象を決定し、該測定対象に対する測定を回復する。
【０１０４】
３、除去時間（Ｔｓｋｉｐ）を設定し、Ｔｓｋｉｐ終了後に、いかなる測定対象に対してもＴｔｒｉｇを開始していない場合、除去済み測定対象に対する測定を回復する。ＥｖｅｎｔＣ１、ＥｖｅｎｔＣ２、ＥｖｅｎｔＣ３に対して、Ｔｓｋｉｐの値を単独で設定してよい。
【０１０５】
ここから分かるように、図１０のステップ１００１では、サービング基地局から提供された測定設定を受信することにより第１対象集合を得ることを例とする。具体的に実現する際、ユーザ端末自身が測定対象を探索して第１対象集合を形成するようにしてもよい。例えば、ユーザ端末は、電源オン時に、全てのアクセス可能な周波数において探索することにより、１つの適切なセルを選択してアクセスし、探索された周波数またはアクセス方式を記憶して、第１対象集合に追加するようにしてよい。また、例えば、ユーザ端末は、適切なセルにアクセスした後に、該セルのブロードキャスト情報を読み取って、ブロードキャスト情報から、第１対象集合に追加可能な測定対象のいくらかの情報を得るようにしてもよい。得られた情報は、異周波数や異システムなどの測定対象の情報を含む。また、例えば、ユーザ端末は、ｉｄｌｅ状態になる場合、異なる測定対象において探索するようにしてもよい。この探索は、周期的なものであってもよく、イベントによりトリガーされるものであってもよい。また、例えば、ユーザは、ｃｏｎｎｅｃｔｅｄ状態に遷移した後に、測定ｇａｐを利用して、新たな異周波数や異システムなどの測定対象において探索するようにしてもよい。この探索は、周期的なものであってもよく、イベントによりトリガーされるものであってもよい。ここで説明すべきところとして、一旦新たな測定対象が探索されたら、ユーザ端末は、それを第１対象集合に追加することができる。
【０１０６】
基地局による設定とユーザによる探索との２種類の方式のいずれにおいても、第１対象集合は絶えずに更新されるものであってよい。基地局による設定の場合、基地局は随時に測定対象を変更でき、ユーザ端末はｃｏｎｎｅｃｔｅｄ状態で、基地局の測定設定を受信することにより第１対象集合を更新する。また、この２種類の方式を組み合わせて使用してよい。例えば、測定設定で指定された測定対象と、ユーザ端末で探索された測定対象とにより、第１対象集合を決定するようにしてもよい。
【０１０７】
図１１は、本発明の１つの実施例において、ユーザが信号強度の比較的悪い測定対象を除去する方法のフローチャートである。
【０１０８】
ステップ１１０１で、ユーザ端末は、サービング基地局の測定設定を受信した後に、測定対象に対する測定を開始する。サービング基地局によりＥｖｅｎｔＣが設定された場合、ユーザは該設定に従って実行すればよい。そうでない場合、ユーザ端末は自分で、ある期間における測定結果により対象除去トリガーイベント（ＥｖｅｎｔＣ）を設定し、かつ、残すことを必要とする最小測定対象数（Ｎｍｉｎ）などのパラメータを設定する。
【０１０９】
ステップ１１０２で、設定された測定対象数（Ｎｏｂｊｅｃｔ）とＮｍｉｎとを比較して、Ｎｏｂｊｅｃｔ＞Ｎｍｉｎである場合、ステップ１１０３を実行する。そうでない場合、対象除去を行わず、本プロセスを終了する。
【０１１０】
ステップ１１０３で、ユーザは各単位測定時間帯で、対応の測定対象の信号強度がＥｖｅｎｔＣを満たすかどうかを監視し、ある測定対象がＥｖｅｎｔＣを満たす場合、ステップ１１０４を実行し、そうでない場合、ステップ１１０３を繰り返し実行する。
【０１１１】
ステップ１１０４で、ユーザは、該測定対象のためにＴｔｒｉｇＣ計時を開始する。
【０１１２】
ステップ１１０５で、ＴｔｒｉｇＣ計時の間、複数の測定対象に対して輪番で測定を引き続き行い、ＴｔｒｉｇＣをトリガーした測定対象に対する測定結果が、それに割り当てられたＴｕｎｉｔ内にわたってＥｖｅｎｔＣを満たす場合、ＴｔｒｉｇＣ終了後に、ステップ１１０６を実行する。そうでない場合、本プロセスを終了する。
【０１１３】
ステップ１１０６で、ユーザは該測定対象を除去し、即ち、次のＴｓｋｉｐ期間内で、該測定対象に対する測定を行わなくなる。
【０１１４】
さらに、１つまたは複数の測定対象を除去した後に、節約されたＴｔｒｉｇ遅延を利用して、基地局により設定された測定報告観察時間（Ｔｔｒｉｇ）を更新することによって、ユーザにより設定された測定報告観察時間（Ｔｘ）を得て、該ユーザ端末に記憶するようにしてもよい。
【０１１５】
サービング基地局によりユーザに対して設定された測定対象数はＮｏｂｊｅｃｔであり、除去された信号強度の比較的悪い測定対象数はＮｓｋｉｐであり、残された信号強度の比較的良い測定対象数はＮｋｅｅｐであることを仮定する。除去されたＮｓｋｉｐ個の測定対象に対して、その後続の全てのＴｕｎｉｔを、輪番で第２対象集合におけるＮｋｅｅｐ個の測定対象に割り当てる。この場合、測定対象数がＮであると、平均Ｔｔｒｉｇ遅延は式（５）に示す通りである。
【０１１６】
Ｔｔｒｉｇｄｅｌａｙ＝｛（Ｎ−１）／２｝＊Ｔｕｎｉｔ  （５）
さらに、比較的悪い測定対象を除去することにより節約されたＴｔｒｉｇ遅延は、式（６）に示す通りである。
【０１１７】
δTｔｒｉｇｄｅｌａｙ＝（Ｎｓｋｉｐ／２）＊Ｔｕｎｉｔ（６）
そのため、公式（７）に示すように、ＴｔｒｉｇをＴｔｒｉｇ’に更新することができる。
【０１１８】
Ｔｔｒｉｇ’＝Ｔｔｒｉｇ＋（Ｎｓｋｉｐ／２）＊Ｔｕｎｉｔ（７）
また、Ｔｔｒｉｇ内に含まれるＴｕｎｉｔ数が測定対象数の整数倍ではない場合、Ｔｔｒｉｇ終了直前の短い期間における測定は、Ｔｔｒｉｇをトリガーした測定対象に役立たない。そのため、該短い期間をスキップしてよい。これにより、測定報告の送信を繰り上げる。具体的に、Ｔｔｒｉｇ’がＮｋｅｅｐ＊Ｔｕｎｉｔの倍数である場合、Ｔｔｒｉｇ’終了直前の１つのＴｕｎｉｔにおける測定結果は、Ｔｔｒｉｇをトリガーした測定対象に対するものであり、該測定報告に役立つため、測定報告の送信はＴｔｒｉｇ’終了後まで待つ必要がある。Ｔｔｒｉｇ’がＮｋｅｅｐ＊Ｔｕｎｉｔの倍数ではない場合、Ｔｔｒｉｇ’終了直前の１つひいては複数のＴｕｎｉｔにおける測定結果は、Ｔｔｒｉｇをトリガーした測定対象に対するものではなく、まったく測定報告に役立たない。この場合、式（８）に示すように、ＴｔｒｉｇはさらにＴｔｒｉｇ’’に更新されることができ、これにより、測定報告の送信を繰り上げる。
【０１１９】
Ｔｔｒｉｇ’’＝Ｔｔｒｉｇ’−ｍｏｄ（Ｔｔｒｉｇ’，Ｎｋｅｅｐ＊Ｔｕｎｉｔ）（８）
ここで、Ｔｕｎｉｔは１つの測定対象に対する測定に必要な時間の長さであり、一般的に、値が４８０ｍｓである。
【０１２０】
表３は、サービング基地局で５つの測定対象が設定され、Ｎｋｅｅｐがそれぞれ２、３、４である場合のＴｔｒｉｇの更新値を示す。ここで、時間を表すパラメータの値は、表３の値と４８０ｍｓとを乗算したものである。
【０１２１】
【表３】
2010193456.tif 000005
【０１２２】
表３から分かるように、式（７）によって、節約されたＴｔｒｉｇ遅延をＴｔｒｉｇの長さの増加に用いて、Ｔｔｒｉｇ’を得、Ｔｔｒｉｇ’期間で観察を行うことにより、測定対象の測定回数を増加させ、測定結果の正確性を向上させる。次に、式（８）によって、Ｔｔｒｉｇ’をさらに最適化することにより、ある程度で測定報告遅延を減少させることができる。測定報告遅延をさらに減少させたい場合、節約されたＴｔｒｉｇ遅延をＴｔｒｉｇの長さの増加に用いなくてよい。こうして、測定対象数が減少された場合、ＥｖｅｎｔＡ３の発見を繰り上げて、従来のＴｔｒｉｇを使用して測定報告観察を行うことができる。
【０１２３】
当然、従来のＴｔｒｉｇに対しても、式（９）に示すような更新を行って、Ｔｔｒｉｇ’’を得ることができる。該更新は式（８）に類似する。表４は、従来のＴｔｒｉｇを採用した場合、式（９）のみを利用したＴｔｒｉｇ更新による効果を示す。
【０１２４】
Ｔｔｒｉｇ’’＝Ｔｔｒｉｇ’−ｍｏｄ（Ｔｔｒｉｇ，Ｎｋｅｅｐ＊Ｔｕｎｉｔ）（９）
【０１２５】
【表４】
2010193456.tif 000006
【０１２６】
表３と表４において、測定回数は測定結果の正確性を反映でき、測定回数が多ければ多いほど、測定結果が正確になる。ＭＲ遅延はハンドオーバーを遅らせる時間を表し、測定報告遅延が大きければ大きいほど、ハンドオーバーが遅くなって、ユーザのコールドロップの可能性が大きくなる。表３において、ＭＲ遅延はＴｔｒｉｇ遅延とＴｔｒｉｇ’’との和であり、表４において、ＭＲ遅延はＴｔｒｉｇ遅延とＴｔｒｉｇ’’’との和である。
【０１２７】
表３と表４とを比較すると、測定対象が除去された場合、節約された時間を用いてＴｔｒｉｇを増大することによれば、もっと正確な測定結果が得られるが、従来のＴｔｒｉｇを使用することによれば、もっと短い測定報告遅延が得られる。ここから分かるように、測定報告の遅延と正確性は、同時に得ることができない。表３の方法では、測定報告の正確性をさらに大幅に向上させることを目的とするが、測定報告遅延は少しだけ減少される。表４の方法では、測定報告遅延がさらに大幅に減少されるが、測定報告の正確性が改善されない。
【０１２８】
さらに、測定対象数を減少しなくても、従来のＴｔｒｉｇに対して、式（９）に示すものに類似する更新を行うことができる。この時、ただＮｋｅｅｐをＮｏｂｊｅｃｔに取り替えればよく、即ち、Ｔｔｒｉｇ’’’＝Ｔｔｒｉｇ−ｍｏｄ（Ｔｔｒｉｇ，Ｎｏｂｊｅｃｔ＊Ｔｕｎｉｔ）である。
【０１２９】
ここから分かるように、ユーザが設定する測定報告観察時間（Ｔｘ）は、直接にＴｔｒｉｇを取ってもよく、Ｔｔｒｉｇを更新した値、例えば、Ｔｔｒｉｇ’、Ｔｔｒｉｇ’’、Ｔｔｒｉｇ’’’、Ｔｔｒｉｇ’’’’などを取ってもよい。
【０１３０】
図１２は、本発明の１つの実施例においてユーザがＴｔｒｉｇをＴｔｒｉｇ’またはＴｔｒｉｇ’’に更新する方法のフローチャートである。
【０１３１】
ステップ１２０１で、ユーザは測定の過程において、ある測定対象の信号強度が、ターゲット基地局になる条件（例えば、ＥｖｅｎｔＡ３）を満たすことを検知した場合、ステップ１２０２を実行し、そうでない場合、本プロセスを終了する。
【０１３２】
ステップ１２０２で、基地局により設定された測定対象数（Ｎｏｂｊｅｃｔ）がユーザの現時点の測定対象数（Ｎｋｅｅｐ）より大きいかどうかを判断し、大きい場合、ステップ１２０４を実行し、そうでない場合、ステップ１２０３を実行する。
【０１３３】
ステップ１２０３で、Ｔｔｒｉｇをそのままにして、本プロセスを終了する。
【０１３４】
ステップ１２０４で、式（６）によって、１つまたは複数の測定対象の除去により節約されたＴｔｒｉｇ遅延を算出する。
【０１３５】
ステップ１２０５で、式（７）によって、ＴｔｒｉｇをＴｔｒｉｇ’に更新する。
【０１３６】
ステップ１２０６で、Ｔｔｒｉｇ’がＮｋｅｅｐ＊Ｔｕｎｉｔの倍数であるかどうかを判断する。Ｔｔｒｉｇ’がＮｋｅｅｐ＊Ｔｕｎｉｔの倍数である場合、ステップ１２０７を実行し、そうでない場合、ステップ１２０８を実行する。
【０１３７】
ステップ１２０７で、Ｔｔｒｉｇ’をそのままにして、本プロセスを終了する。
【０１３８】
ステップ１２０８で、式（８）によって、Ｔｔｒｉｇ’をＴｔｒｉｇ’’に更新し、本プロセスを終了する。
【０１３９】
説明すべきところとして、本プロセスはステップ１２０５まで実行すれば終了してもよく、ステップ１２０６〜１２０８は選択可能な実行ステップである。
【０１４０】
図１３は、本発明の１つの実施例におけるＴｔｒｉｇ値の更新を示す図であり、ここで、Ｔｔｒｉｇ’とＴｔｒｉｇ’’が示される。図１３において、Ｔｔｒｉｇ’は２．４ｓであり、５つのＴｕｎｉｔを含み、それに、現時点で３つの測定対象Ｆ１、Ｆ２、Ｆ３がある。そうすれば、第４、５のＴｕｎｉｔが、Ｔｔｒｉｇをトリガーした測定対象に役立たないため、式（８）を使用してＴｔｒｉｇをＴｔｒｉｇ’’（即ち、３つのＴｕｎｉｔ）に更新することにより、測定報告の送信を繰り上げることができる。
【０１４１】
図１４は、本発明の１つの実施例において、比較的悪い測定対象を除去した後、従来のＴｔｒｉｇ計時がトリガーされた測定を示す図である。Ｆ３の信号強度が最悪であることを仮定すると、Ｆ３を除去した後、測定対象として、ただＦ１とＦ２が残っている。こうして、Ｆ２は、既に測定報告トリガーイベントを満たした場合、最多でも、ただＦ１の測定終了まで待つだけで、監視されたことになる。これにより、Ｔｔｒｉｇのトリガー遅延を減少して、測定報告の適時性を保証する。そして、従来のＴｔｒｉｇ期間では、Ｆ２の監視回数も元の１回から２回まで増加し、該周波数の監視頻度を増大して、測定報告の正確性を保証する。ここから分かるように、測定対象の減少により、２つの測定結果の到達時間間隔も減少される。これは、サービング基地局が最も適切なターゲット基地局を選択することに役立つ。
【０１４２】
本発明に係る方法と対応的に、本発明では、図１０に示すようなハンドオーバー測定を行うための装置も提供している。図１５は、本発明に係るハンドオーバー測定を行うための装置の構成図である。該装置は下記のユニットを含む。
【０１４３】
パラメータ記憶ユニット１５０１は、１つまたは複数の測定対象を含む第１対象集合を記憶し、かつ、測定対象と単体測定時間帯Ｔｕｎｉｔとの対応関係を記憶する。
【０１４４】
具体的に、パラメータ記憶ユニット１５０１は、サービング基地局から提供された測定設定を記憶するようにしてもよい。前記測定設定は、１つまたは複数の測定対象を含む第１対象集合を指定するためのものである。
【０１４５】
測定実行ユニット１５０２は、前記パラメータ記憶ユニットに記憶された測定対象と単位測定時間帯との対応関係により、各測定対象の信号強度を測定し、測定結果を対象制御ユニット１５０３に送信し、測定報告トリガーイベントの監視状況により測定報告を送信する。
【０１４６】
さらに、測定実行ユニット１５０２は、異なるキャリア周波数またはアクセス方式において探索し、探索されたキャリア周波数またはアクセス方式を測定対象として、前記パラメータ記憶ユニット１５０１に記憶された第１対象集合に追加する。この時、パラメータ記憶ユニット１５０１に記憶された第１対象集合は、ユーザ端末自身で探索されたものである。
【０１４７】
あるいは、パラメータ記憶ユニット１５０１に記憶された第１対象集合は、基地局により設定された測定対象を含んでもよく、端末で探索された測定対象を含んでもよい。
【０１４８】
対象制御ユニット１５０３は、測定対象と単位測定時間帯との対応関係を設定し、前記測定実行ユニットで得られた測定結果により、前記第１対象集合から１つまたは複数の測定対象を除去して第２対象集合を得、除去済み測定対象の単位測定時間帯を再割り当てし、再割り当て結果により測定対象と単位測定時間帯との対応関係を更新する。
【０１４９】
具体的に、対象制御ユニット１５０３において、除去定義モジュール１５１３と対象除去モジュール１５２３とを設けてもよい。ここで、除去定義モジュール１５１３は、対象除去トリガーイベントを設定して、パラメータ記憶ユニット１５０１に記憶する。対象除去モジュール１５２３は、前記第１対象集合における測定対象の少なくとも１つの単位測定時間帯で、前記対象除去トリガーイベントが監視された後に、前記測定対象の後続の複数の単位測定時間帯で、該測定対象の信号強度の測定を停止する。
【０１５０】
具体的に、対象除去モジュール１５２３は、対象除去観察時間（ＴｔｒｉｇＣ）を設定し、対象除去トリガーイベントが監視された後に、ある除去待ち測定対象に対して、該ＴｔｒｉｇＣを開始し、ＴｔｒｉｇＣ内における該除去待ち測定対象に割り当てられた全ての単位測定時間帯にわたって監視する。さらに、対象除去モジュール１５２３は、前記全ての単位測定時間帯にわたって前記対象除去トリガーイベントが監視された場合、ＴｔｒｉｇＣ終了後に、前記除去待ち測定対象に対する測定を停止し、前記除去待ち測定対象を除去済み測定対象に変更する。
【０１５１】
さらに、対象制御ユニット１５０３において、Ｔｕｎｉｔ割り当てモジュール１５３３を設けてもよい。Ｔｕｎｉｔ割り当てモジュール１５３３は、除去済み測定対象の後続の全ての単位測定対象時間帯を輪番で第２対象集合における各測定対象に割り当て、あるいは、第２対象集合から信号強度が最大となる測定対象を検索し、前記除去済み測定対象の後続の複数の単位測定時間帯を、前記信号強度が最大となる測定対象に割り当てて、更新後の測定対象と単位測定時間帯との対応関係をパラメータ記憶ユニット１５０１に記憶する。
【０１５２】
さらに、対象制御ユニット１５０３において、対象回復モジュール１５４３を設けてもよい。対象回復モジュール１５４３は、予め設定された回復条件が満たされたことを決定した場合、除去済み測定対象の信号強度の測定を回復する。
【０１５３】
ここから分かるように、測定対象と単位測定時間帯との対応関係は、絶えずに更新されるものである。一旦、対象除去トリガーイベントが満たされたら、測定対象の除去がある。相応に、測定対象と単位測定時間帯との対応関係が調整され、例えば、除去された測定対象の単位測定時間帯を他の測定対象に再割り当てする。更新後の対応関係がパラメータ記憶ユニット１５０１に記憶されるため、測定実行ユニット１５０２は、測定を実行する際、更新後の対応関係によって、相応の単位測定時間帯で、ある測定対象の信号強度を測定することができる。
【０１５４】
さらに、対象除去トリガーイベントを設定するために、本発明の実施例では、ユーザ端末を提供している。図１６は、本発明の１つの実施例において対象除去トリガーイベントを設定するためのユーザ端末の構成図である。該ユーザ端末は、パラメータ記憶ユニット１６０１と、測定実行ユニット１６０２と、イベント定義ユニット１６０３と、イベント評価ユニット１６０４と、を含む。
【０１５５】
パラメータ記憶ユニット１６０１は、基地局により設定された測定パラメータと、イベント定義ユニット１６０３から提供された対象除去トリガーイベント（ＥｖｅｎｔＣ）及びＥｖｅｎｔＣパラメータと、イベント評価ユニット１６０４により設定された測定対象と単位測定時間帯との対応関係とを記憶する。
【０１５６】
ここで、測定対象と単位測定時間帯との対応関係は、ＥｖｅｎｔＣの監視状況により更新される。
【０１５７】
測定の最初に、パラメータ記憶ユニット１６０１に記憶されたものは、単位測定時間帯と第１対象集合における全ての測定対象との対応関係である。ここで、第１対象集合における測定対象は、基地局により設定されたものである。
【０１５８】
１つまたは複数の対象が除去された後、測定対象と単位測定時間帯との対応関係は、単位測定時間帯と第２対象集合における全ての測定対象との対応関係に更新される。具体的に、第１対象集合から１つまたは複数の測定対象を除去して第２対象集合を得る。
【０１５９】
測定実行ユニット１６０２は、パラメータ記憶ユニット１６０１に記憶された測定対象と単位測定時間帯との対応関係に従って、各単位測定時間帯で相応の測定対象に対して測定を行い、測定結果をイベント定義ユニット１６０３とイベント評価ユニット１６０４に送信する。
【０１６０】
イベント定義ユニット１６０３は、対象除去トリガーイベントを定義し、かつ、ある期間における測定結果によりＥｖｅｎｔＣパラメータを設定し、定義された対象除去トリガーイベントと、設定されたＥｖｅｎｔＣパラメータとをパラメータ記憶ユニット１６０１に送信する。該イベント定義ユニット１６０３と図１５における除去定義モジュール１５１３との機能は類似する。
【０１６１】
具体的に実現する際、イベント定義ユニット１６０３は、ＥｖｅｎｔＣ１、あるいは、ＥｖｅｎｔＣ２、あるいは、ＥｖｅｎｔＣ３をＥｖｅｎｔＣとして定義してもよい。ＥｖｅｎｔＣ１を対象除去トリガーイベントとする場合、さらに、該期間内の最も良い測定対象ｎを決定する必要がある。ＥｖｅｎｔＣ１に対応するＥｖｅｎｔＣパラメータは、最も良い測定対象ｎの測定結果Ｍｎや、最も良い測定対象ｎの周波数オフセット量Ｏｆｎ、最も良い測定対象ｎのセルオフセット量Ｏｃｎ、ヒステリシス係数Ｈｙｓ、イベントオフセット量Ｏｆｆなどを含む。
【０１６２】
また、基地局がＥｖｅｎｔＣ及びＥｖｅｎｔＣパラメータを設定してユーザ端末に提供し、ユーザ端末が基地局による設定に従って対象除去を実行するようにしてもよい。この場合、ユーザ端末には、イベント定義ユニット１６０３を設けなくてもよい。
【０１６３】
イベント評価ユニット１６０４は、測定対象と単位測定時間帯との対応関係の初期設定を行い、パラメータ記憶ユニット１６０１に記憶された対象除去トリガーイベントにより、測定対象の測定結果を評価し、ある対象除去トリガーイベントが満たされた場合、パラメータ記憶ユニット１６０１に記憶された測定対象と単位測定時間帯との対応関係を更新する。該イベント評価ユニット１６０４と図１５における対象除去モジュール１５２３との基本的な機能は類似する。
【０１６４】
具体的に実現する際、前記更新は、該測定対象を第１対象集合から削除し、該測定対象の単位測定時間帯を再割り当てし、再割り当てして得られた測定対象と単位測定時間帯との対応関係をパラメータ記憶ユニット１６０１に記憶する、ことを含む。
【０１６５】
さらに、図１７は、本発明の１つの実施例において、信号強度の比較的悪い測定対象を除去し、及び、該測定対象を回復するための装置の構成図である。該装置は、パラメータ記憶ユニット１７０１と、測定実行ユニット１７０２と、イベント評価ユニット１７０４と、除去対象計時ユニット１７０５と、を含む。
【０１６６】
パラメータ記憶ユニット１７０１は、基地局により設定された測定パラメータ及び対象除去トリガーイベント（ＥｖｅｎｔＣ）を記憶し、除去対象計時ユニット１７０５の通知で、基地局により設定された１つまたは複数の測定対象を除去あるいは回復する。
【０１６７】
測定実行ユニット１７０２は、パラメータ記憶ユニット１７０１に記憶された測定パラメータにより測定を行い、測定結果をイベント評価ユニット１７０４に送信する。
【０１６８】
イベント評価ユニット１７０４は、パラメータ記憶ユニット１７０１におけるＥｖｅｎｔＣに関する設定により、測定実行ユニット１７０２からの測定結果を評価し、ＥｖｅｎｔＣが満たされた場合、除去対象計時ユニット１７０５に通知する。さらに、イベント評価ユニット１７０４は、ある測定対象がＴｔｒｉｇＣ期間にわたってＥｖｅｎｔＣを満たすかどうかを判断し、満たす場合、除去対象計時ユニット１７０５に通知する。
【０１６９】
除去対象計時ユニット１７０５は、イベント評価ユニット１７０４からの通知を受信し、ある測定対象に対してＴｔｒｉｇＣ計時を開始し、ＴｔｒｉｇＣ計時終了後に、パラメータ記憶ユニット１７０１に対し該測定対象を除去するよう通知し、パラメータ記憶ユニット１７０１における測定対象と単位測定時間帯との対応関係を更新する。更新後の対応関係において、単位測定時間帯は、除去された測定対象に割り当てられない。
【０１７０】
さらに、除去対象計時ユニット１７０５は、ある測定対象が除去された後に、該測定対象に対してＴｓｋｉｐ計時を開始し、Ｔｓｋｉｐ計時終了後に、あるいは、該測定対象の他の回復条件が満たされたとイベント評価ユニット１７０４により判断されたときに、パラメータ記憶ユニット１７０１に対し、該測定対象を回復するよう通知し、即ち、単位測定時間帯を回復された測定対象に再割り当てする。
【０１７１】
具体的な応用において、除去対象計時ユニット１７０５は、１つまたは複数のタイマーを採用することにより実現することができる。
【０１７２】
さらに、図１８は、本発明の１つの実施例においてＴｔｒｉｇを更新するための装置の構成図である。該装置は、パラメータ記憶ユニット１８０１と、測定実行ユニット１８０２と、イベント評価ユニット１８０４と、観察時間更新ユニット１８０６と、を含む。ここで、
【０１７３】
パラメータ記憶ユニット１８０１は、サービング基地局から提供された測定設定（例えば、測定対象数Ｎｏｂｊｅｃｔなど）を記憶し、かつ、ユーザにより設定された測定報告観察時間（Ｔｘ）を記憶する。初期時、Ｔｘの値はＴｔｒｉｇである。
【０１７４】
測定実行ユニット１８０２は、パラメータ記憶ユニット１８０１に記憶された測定設定を取得し、測定対象とサービス周波数との信号強度を測定し、測定結果をイベント評価ユニット１８０４に送信する。
【０１７５】
イベント評価ユニット１８０４は、測定実行ユニット１８０２から提供された測定結果と、パラメータ記憶ユニット１８０１から提供された対象除去トリガーイベントとにより判断し、ある測定対象の測定結果が該対象除去トリガーイベントを満たすと決定した場合、観察時間更新ユニット１８０６に通知する。
【０１７６】
観察時間更新ユニット１８０６は、イベント評価ユニット１８０４からの通知を受信し、Ｔｔｒｉｇ’とＴｔｒｉｇ’’を算出し、パラメータ記憶ユニット１８０１に記憶されたＮｏｂｊｅｃｔと現時点の測定対象数とを比較して、比較結果により、Ｔｔｒｉｇ’とＴｔｒｉｇ’’を更新後のＴｘ値としてパラメータ記憶ユニット１８０１に記憶する。
【０１７７】
さらに、イベント評価ユニット１８０４は、パラメータ記憶ユニット１８０１から更新後のＴｘ値を取得し、前記更新後のＴｘ値により、測定報告を送信する時間を決定する。Ｔｘ値はＴｔｒｉｇからＴｔｒｉｇ’またはＴｔｒｉｇ’’に更新されることで、測定報告の正確性をさらに大幅に向上させることができる。
【０１７８】
図１９は、本発明の１つの具体的な実例においてＴｔｒｉｇをＴｔｒｉｇ’とＴｔｒｉｇ’’に更新した場合のハンドオーバー安定度と従来の方法のハンドオーバー安定度との比較を示す図である。ここで、従来の方法とは、サービング基地局により設定された全ての測定対象に対して輪番で測定し、かつ、固定の測定報告観察時間（Ｔｔｒｉｇ）を使用することを指す。本発明の具体的な実例では、信号強度の比較的悪い測定対象を除去し、節約されたＴｔｒｉｇ遅延をＴｔｒｉｇの延長に用い、Ｔｔｒｉｇ終了直前の、該Ｔｔｒｉｇに対応する測定対象に対して無効な単位測定時間帯を除去し、測定報告の送信を繰り上げる。
【０１７９】
シミュレーション結果から分かるように、ある測定対象に対して測定報告トリガーイベントが満たされた後、本発明の具体的な実施例によれば、該測定対象の測定頻度を増大するため、測定結果の正確度を向上させる。これにより、サービング基地局は、測定報告により、確実なターゲット基地局をより適切に選択することができる。そのため、ユーザは、上記の方式で選択されたターゲット基地局にハンドオーバーした後、短期間内で再ハンドオーバーが発生することない。これにより、ハンドオーバー安定度を向上させ、必要ではないハンドオーバーを減少させ、ユーザの中断時間も減少させ、ユーザのスループット及びユーザの満足度を向上させる。
【０１８０】
図２０は、本発明の１つの具体的な実例において、測定対象を除去してから、ＴｔｒｉｇをＴｔｒｉｇ’’’に更新した場合の測定報告遅延と従来の方法の測定報告遅延との比較を示す図である。図２０において、本発明の具体的な実例では、信号強度の比較的悪い測定対象を除去し、節約されたＴｔｒｉｇ遅延を測定報告遅延の減少に用い、Ｔｔｒｉｇ終了直前の無効な単位測定時間帯を除去し、測定報告の送信を繰り上げる。ここから分かるように、従来の方法に比べると、本発明の具体的な実例は、測定報告遅延をさらに大幅に減少させ、ユーザが適時にハンドオーバーすることが保証される。
【０１８１】
図２１は、本発明の１つの具体的な実例における２つの異なる測定対象の測定報告の送信時間間隔と従来の方法における送信時間間隔との比較を示す図である。この２つの異なる測定対象とは、２つの異なる周波数を指す。図２１において、本発明の具体的な実例では、信号強度の比較的悪い測定対象を除去することにより、信号強度の比較的良い２つの測定対象の測定間隔を減少させるため、２つのＴｔｒｉｇのトリガー時間間隔を減少させ、最終的に２つの測定報告の送信時間間隔を減少させる。
【０１８２】
２つの測定報告がサービング基地局に到達する時間間隔が減少する場合、サービング基地局はｃｅｌｌ１（Ｆ１）の測定報告を受信したとき、ｃｅｌｌ２（Ｆ２）を含むハンドオーバー実行命令をユーザに送信していないかもしれない。そうすれば、サービング基地局は、ハンドオーバー決定を再び行って、ｃｅｌｌ１（Ｆ１）をターゲット基地局として選択し、かつ、ｃｅｌｌ２（Ｆ２）にハンドオーバー取消命令を送信することにより、ｃｅｌｌ２（Ｆ２）に対し、ユーザがそれにハンドオーバーしないことを適時に通知する。つまり、ｃｅｌｌ２（Ｆ２）を含むハンドオーバー実行命令がサービング基地局から送信される前に、該ハンドオーバーは既に取消された。同時に、サービング基地局は、ｃｅｌｌ１（Ｆ１）にハンドオーバー要求命令を送信する。その後、ハンドオーバー準備とハンドオーバー実行などのプロセスを行う。
【０１８３】
ここから分かるように、測定報告の時間間隔を減少することによって、ユーザが最も良いターゲット基地局にハンドオーバーできることを保証でき、ユーザをずっと最も良いターゲット基地局に接続させる。これにより、図９に示すような問題の発生を避け、ユーザのサービス満足度を向上させる。
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2010193456.tif 000007
【図２】
2010193456.tif 000008
【図３】
2010193456.tif 000009
【図４】
2010193456.tif 000010
【図５】
2010193456.tif 000011
【図６】
2010193456.tif 000012
【図７】
2010193456.tif 000013
【図８】
2010193456.tif 000014
【図９】
2010193456.tif 000015
【図１０】
2010193456.tif 000016
【図１１】
2010193456.tif 000017
【図１２】
2010193456.tif 000018
【図１３】
2010193456.tif 000019
【図１４】
2010193456.tif 000020
【図１５】
2010193456.tif 000021
【図１６】
2010193456.tif 000022
【図１７】
2010193456.tif 000023
【図１８】
2010193456.tif 000024
【図１９】
2010193456.tif 000025
【図２０】
2010193456.tif 000026
【図２１】
2010193456.tif 000027